(57)【特許請求の範囲】
【請求項１】
側壁で囲まれた開口部の一辺を構成する前記側壁に、蓋フラップの基端辺を連設し、該蓋フラップの前記基端辺以外の閉止辺を、該閉止辺に対応する前記側壁に連結して、前記蓋フラップで前記開口部を閉止する紙製の包装箱であって、
前記蓋フラップの前記閉止辺を含む複数辺を、前記複数辺にそれぞれ対応する前記側壁に、係合連結部を介して連結可能とし、
前記係合連結部は、係止爪をスリットに差し込んで抜き出し不能に連結するものであり、
前記開口部が４つの側壁で囲まれた四角形であり、前記開口部の一辺を構成する前記側壁に、前記蓋フラップの前記基端辺を連設し、前記蓋フラップの前記基端辺に対向する対向辺を前記閉止辺とし、この閉止辺を含む三辺を、これら三辺にそれぞれ対応する３つの側壁に、前記係合連結部を介して連結可能とし、
前記係合連結部は、前記蓋フラップまたは前記側壁の一方に形成された前記係止爪と、前記蓋フラップまたは前記側壁の他方に形成された前記スリットとを備え、
前記蓋フラップに形成された前記係止爪は、前記蓋フラップの前記三辺のいずれかの辺に連設され、前記側壁に形成された前記係止爪は、該側壁の開口部側の端である上端に連設され、
前記蓋フラップに形成された前記スリットは、前記蓋フラップの前記三辺のいずれかの辺に連設された折込み片の折り線上に形成され、前記側壁に形成された前記スリットは、該側壁の前記開口部側の端である上端に連設される内フラップの折り線上に形成され、
前記蓋フラップの前記三辺を、前記３つの側壁に、前記係合連結部を介して連結した状態では、前記係止爪は、前記スリットに差し込まれて当該包装箱の内部に収容される、
ことを特徴とする包装箱。
【請求項２】
前記係止爪は、主部と、この主部における外側方に突出した張出し部とを有し、
前記スリットは、前記係止爪の前記主部が挿通される主スリット部と、前記係止爪の前記張出し部が挿通される副スリット部とを有し、前記主スリット部の端部に前記副スリット部が非直線状に連設される、
請求項１に記載の包装箱。
【請求項３】
前記主スリット部と前記副スリット部とが、段差を介して互いに平行に連続する、
請求項２に記載の包装箱。
【請求項４】
前記係止爪が、切起こし変形可能なアーム部の先端に形成される、
請求項１ないし３のいずれかに記載の包装箱。
【発明の詳細な説明】
【技術分野】
【０００１】
本発明は、包装箱に関し、更に詳しくは、不正な開封を防止する機能を備えた包装箱に関する。
【背景技術】
【０００２】
不正開封を防止する機能を備えた包装ケースとして、例えば、特許文献１に示されているように、有底四角筒状の箱体の開口部の一辺に、開口部を閉じる蓋板の基端側を揺動自在に連設し、この蓋板で開口部を閉じて、蓋板の遊端側に形成した切込みに、箱体の側壁に設けた差込片を差し込んで、差込片を抜き出し不能にロックするようにしたものがある。
【先行技術文献】
【特許文献】
【０００３】
【特許文献１】特開２００３−３２７２４２号公報
【発明の概要】
【発明が解決しようとする課題】
【０００４】
上記のような構成の包装箱においては、蓋板の遊端側の辺に形成した切込みに、箱体の側壁に設けた差込片を差し込むと、差込片が抜き出し不能となるので、蓋フラップを不正に揺動開放することはできない。
【０００５】
しかし、箱体の側壁および蓋板を撓み変形させることで、蓋板の遊端側の辺以外の両側辺を開口部から浮かして、細い物などを差し入れる隙間を形成することが可能であり、開封防止機能が必ずしも十分発揮されているとは言い難いものであった。
【０００６】
本発明は、このような実情に着目してなされたものであって、より確実に開封防止機能を発揮させることができる包装箱を提供することを目的とする。
【課題を解決するための手段】
【０００７】
上記目的を達成するために、本発明では次のように構成している。
【０００８】
（１）本発明は、側壁で囲まれた開口部の一辺を構成する前記側壁に、蓋フラップの基端辺を連設し、該蓋フラップの前記基端辺以外の閉止辺を、該閉止辺に対応する前記側壁に連結して、前記蓋フラップで前記開口部を閉止する紙製の包装箱であって、
前記蓋フラップの前記閉止辺を含む複数辺を、前記複数辺にそれぞれ対応する前記側壁に、係合連結部を介して連結可能とし、
前記係合連結部は、係止爪をスリットに差し込んで抜き出し不能に連結するものであり、
前記開口部が４つの側壁で囲まれた四角形であり、前記開口部の一辺を構成する前記側壁に、前記蓋フラップの前記基端辺を連設し、前記蓋フラップの前記基端辺に対向する対向辺を前記閉止辺とし、この閉止辺を含む三辺を、これら三辺にそれぞれ対応する３つの側壁に、前記係合連結部を介して連結可能とし、
前記係合連結部は、前記蓋フラップまたは前記側壁の一方に形成された前記係止爪と、前記蓋フラップまたは前記側壁の他方に形成された前記スリットとを備え、
前記蓋フラップに形成された前記係止爪は、前記蓋フラップの前記三辺のいずれかの辺に連設され、前記側壁に形成された前記係止爪は、該側壁の開口部側の端である上端に連設され、
前記蓋フラップに形成された前記スリットは、前記蓋フラップの前記三辺のいずれかの辺に連設された折込み片の折り線上に形成され、前記側壁に形成された前記スリットは、該側壁の前記開口部側の端である上端に連設される内フラップの折り線上に形成され、
前記蓋フラップの前記三辺を、前記３つの側壁に、前記係合連結部を介して連結した状態では、前記係止爪は、前記スリットに差し込まれて当該包装箱の内部に収容される。
【０００９】
本発明によると、蓋フラップの閉止辺以外の辺も係止爪をスリットに抜き出し不能に差し込む係合連結部によって連結することができ、側壁および蓋フラップを撓み変形させて、蓋フラップの閉止辺及び閉止辺以外の辺を開口部から浮かして蓋フラップと側壁との間に細い物などが差し入れ可能な隙間が形成されるのを防止することができる。
また、蓋フラップの閉止辺を含む三辺と３つの側壁との抜き出し不能な連結によって、蓋フラップや側壁を大きく撓み変形させることができなくなり、蓋フラップの前記三辺を開口部から浮かして隙間が形成されるのを効果的に防止することができる。
【００１２】
（２）本発明の一つの実施態様では、前記係止爪は、主部と、この主部における外側方に突出した張出し部とを有し、前記スリットは、前記係止爪の前記主部が挿通される主スリット部と、前記係止爪の前記張出し部が挿通される副スリット部とを有し、前記主スリット部の端部に前記副スリット部が非直線状に連設される。
【００１３】
この実施態様によると、係止爪をスリットに差し入れると、張出し部及びスリットの一部が変形することで張出し部がスリットを通過し、通過して元の形状に復元した張出し部がスリットの内側に係合することで、係止爪の抜け出しが不能となる。つまり、係合連結部は解除不能となり、蓋フラップの開封が阻止される。
【００１４】
（３）上記（２）の実施態様では、前記主スリット部と前記副スリット部とを、段差を介して互いに平行に連続させてもよい。
【００１５】
この実施態様によると、係止爪の張出し部は、比較的少ない変形でスリットにおける張出し部挿通用の副スリット部を通過することができ、係止爪の差し込み操作を容易に行うことができる。
【００１６】
（４）本発明の他の実施態様では、前記係止爪が、切起こし変形可能なアーム部の先端に形成される。
【００１７】
この実施態様によると、係止爪が切起こし変形可能なアーム部の先端に形成されるので、蓋フラップを閉止位置まで揺動させた後でも、アーム部を撓ませながら係止爪をスリットに差し込み操作することができ、封止操作が容易となる。
【発明の効果】
【００１８】
本発明によれば、蓋フラップの閉止辺及び閉止辺以外の辺も係止爪をスリットに抜き出し不能に差し込む係合連結部によって連結することができ、側壁および蓋フラップを撓み変形させて、蓋フラップの閉止辺及び閉止辺以外の辺を開口部から浮かして蓋フラップと側壁との間に細い物などが差し入れ可能な隙間が形成されるのを防止することができ、より確実に開封防止機能を発揮させることができる。
【図面の簡単な説明】
【００１９】
【図１】図１は本発明の一実施形態に係る包装箱を構成する原紙を内面側からみた展開図である。
【図２】図２は図１の原紙を用いた包装箱の組み上げ途中を示す外観斜視図である。
【図３】図３は組み上がった包装箱の外観斜視図である。
【図４】図４は封止操作中の包装箱を示す外観斜視図である。
【図５】図５は包装箱の横断平面図である。
【図６】図６は封止された包装箱を示す外観斜視図である。
【図７】図７は係合連結部の断面図である。
【発明を実施するための形態】
【００２０】
以下、本発明の実施形態について図面を参照しながら説明する。
【００２１】
図１に、本発明の一実施形態に係る包装箱Ａを構成する原紙Ｂの裏面（内面）側から見た展開図が、図２に、組上げ途中の包装箱Ａの外観斜視図が、また、図３に、組上げられた包装箱Ａの外観斜視図がそれぞれ示されている。
【００２２】
この原紙Ｂは、外表面に化粧紙を貼着積層してなるボール紙を型抜き裁断して形成されたものであり、四周の第１〜第４の側壁１，２，３，４が、折り線ａ，ｂ，ｃを介して一連に並列形成されている。
【００２３】
そして、第１の側壁１と第３の側壁３の上端には、折り線ｄ，ｅを介して内フラップ５，６がそれぞれ連設されると共に、第２の側壁２の上端に、折り線ｆを介して蓋フラップ７が連設され、更に、各側壁１，２，３，４の下端には、折り線ｇ，ｈ，ｉ，ｊを介して底フラップ９，１０，１１，１２がそれぞれ連設されている。また、第４の側壁４の外端には、折り線ｋを介して糊代１３が連設されると共に、蓋フラップ７の遊端部には、折り線ｌを介して折込み片１４が連設されている。
【００２４】
上記のように構成された原紙Ｂは、側壁１，２，３，４を内折りして、糊代１３の外表面を、第１の側壁１における外側端の内面に貼り合せることで四角筒体が組上がる。また、側壁１，２を内折りして、第１の底フラップ９と第２の底フラップ１０とを重ねて両面テープなどの接着剤ｓで貼り合わせると共に、側壁３，４を内折りして、第３の底フラップ１１と第４の底フラップ１２とを重ねて接着剤ｓで貼り合わせる。
【００２５】
ここで、第２の底フラップ１０及び第４の底フラップ１２には、スリットを断続形成して折り込み容易に構成された折込み線ｍ，ｎがそれぞれ隅部から４５度の角度で形成されており、貼合せた２組の底フラップ９，１０；１１，１２を、それぞれ折込線ｍ，ｎを介して内側（上側）に折り込んで、第１の側壁１と第２の側壁２とが、また、第３の側壁３と第４の側壁４とがそれぞれ重なるようにして、包装箱全体を扁平に折り畳むことができ、使用前の包装箱Ａの保管や運搬を嵩低く行うことができるようになっている。
【００２６】
使用に際しては、扁平に折り畳まれた側壁１，２，３，４を四角筒状に折り起こすことで、図５に示すように、貼合せた２組の底フラップ９，１０；１１，１２が起立しながら互いに巴状に交差し、外方（下方）に変形しない底面を備えた包装箱Ａが組上げられる。
【００２７】
以上のような包装箱Ａを使用する場合、物品を収納した後、包装箱Ａの開口部を蓋フラップ７で閉じることになるが、従来では、四角形状の蓋フラップ７の上記折り線ｆで示される基端辺と対向する上記折り線ｌで示される閉止辺を、対応する第４の側壁４に、例えば、上記特許文献１のように、切込みと差込片とによって、抜き出し不能にロックしている。
【００２８】
このため、包装箱の側壁および蓋フラップを撓み変形させることで、蓋フラップの閉止辺以外の両側辺を開口部から浮かして、細い物などを差し入れることが可能な隙間を形成することが可能であり、開封防止機能が十分でなかった。
【００２９】
この実施形態では、開封防止機能を高めるために、蓋フラップ７の折り線ｌで示される閉止辺と、その両側の両側辺とが、それぞれ対応する３つの側壁４，１，３に、図４及び図６に示すように、係合連結部１５，１６を介してそれぞれ連結される。
【００３０】
すなわち、蓋フラップ７の折り線ｌで示される閉止辺と第４の側壁４とを連結する係合連結部１５は、図１〜図３にも示される側壁４の上端の中央に連設した係止爪１７と、蓋フラップ７における折込み片１４の折り線ｌ上の中央に設けたスリット１８とで構成されている。
【００３１】
係止爪１７は、所定幅に形成された主部１７ａの両側に張出し部１７ｂを備えた台形に形成されると共に、主部１７ａは、側壁４に切り込み形成されたアーム部１７ｃの上端に連設されている。他方、スリット１８は、係止爪１７の主部１７ａを挿通する幅の主スリット部１８ａと、その両端に、係止爪１７の厚さより若干大きい段差をもって平行に連設した張出し部挿通用の副スリット部１８ｂとで構成されている。
【００３２】
蓋フラップ７における一方の側辺と第１の側壁１とを連結する係合連結部１６と、蓋フラップ７における他方の側辺と第３の側壁３とを連結する係合連結部１６とは同一の仕様であり、蓋フラップ７の側辺の中央に連設した係止爪１９と、側壁１，３における内フラップ５，６の折り線ｄ，ｅ上の中央に設けたスリット２０とで構成されている。
【００３３】
係止爪１９は、所定幅に形成された主部１９ａの両側に張出し部１９ｂを備えた台形に形成されると共に、スリット２０は、係止爪１９の主部１９ａを挿通する幅の主スリット部２０ａと、その両端に係止爪１９の厚さより若干大きい段差をもって平行に連設した張出し部挿通用の副スリット部２０ｂとで構成されている。
【００３４】
包装箱Ａに物品を収容した後に開口部を蓋フラップ７で閉じる際には、蓋フラップ７の両側の係合連結部１６において、図４に示すように、係止爪１９を対応するスリット２０に差し込みながら蓋フラップ７を閉じ揺動させ、その後、図６に示すように、蓋フラップ７の遊端側の係合連結部１５において、アーム部１７ｃを介して外方に切り起こした係止爪１７を蓋フラップ７のスリット８に差し込む。
【００３５】
係止爪１７（１９）をスリッ１８（２０）に差し込む際、係止爪１７（１９）における主部１７ａ（１９ａ）の先端部を主スリット部１８ａ（２０ａ）に差し込むに連れて、係止爪１７（１９）の張出し部１７ｂ（１９ｂ）及びスリット１８（２０）の段差部位が変形しながら張出し部１７ｂ（１９ｂ）が副スリット部１８ｂ（２０ｂ）を通過し、係止爪１７（１９）の主部１７ａ（１９ａ）が根元まで主スリット部１８ａ（２０ａ）に差し込まれた状態では、図７に示すように、元の形状にまで復元した張出し部１７ｂ（１９ｂ）が、段差部位に内側から係合し、係止爪１７（１９）の抜け出しが不能となる。
【００３６】
このように、蓋フラップ７を三箇所の係合連結部１５，１６を介して側壁１，３，４に連結した状態では、蓋フラップ７や側壁１，３，４を撓み変形させて、蓋フラップ７と側壁上端との間に形成される隙間は、極めて小さくなり、細い物などを差し入れるのを防止することができる。
【００３７】
なお、この包装箱Ａは基本的には使い捨て仕様であり、蓋フラップ７を破る、等して、梱包した包装箱から物品を取り出すことになる。
【００３８】
[他の実施形態]
本発明は、以下のような形態で実施することもできる。
【００３９】
（１）蓋フラップ７における一辺の長さが大きい場合には、一辺について係合連結部を複数箇所に設けてもよい。
【００４０】
（２）係合連結部１５，１６におけるスリット１８，２０の形態としては、上記のように、主スリット部１８ａ，２０ａと張出し部挿通用の副スリット部１８ｂ，２０ｂとを段違い状に連設するほかに、主スリット部１８ａ，２０ａの端部に張出し部挿通用の副スリット部１８ｂ，２０ｂを適当な角度をもって折れ線状に連設するようにしてもよい。
【００４１】
（３）側壁側に係止爪を備えると共に蓋フラップ側にスリットを備えた係合連結部と、蓋フラップ側に係止爪を備えると共に側壁側にスリットを備えた係合連結部とのいずれの形態を採用するかは、包装箱Ａの大きさや開口部の内フラップの形態に応じて任意に選択することができる。
【符号の説明】
【００４３】
１〜４            第１〜第４の側壁
７                蓋フラップ
１５，１６        係合連結部
１７，１９        係止爪
１７ａ，１９ａ    主部
１７ｂ，１９ｂ    張出し部
１７ｃ            アーム部
１８，２０        スリット
１８ａ，２０ａ    主スリット部
１８ｂ，２０ｂ    副スリット部
【図１】
0006715544.tif 000002
【図２】
0006715544.tif 000003
【図３】
0006715544.tif 000004
【図４】
0006715544.tif 000005
【図５】
0006715544.tif 000006
【図６】
0006715544.tif 000007
【図７】
0006715544.tif 000008